(57)【要約】【課題】本発明の課題は水中でウォーキング等をする際に体への負担をさらに小さくしつつ運動効果を高めるための水着を提供することにある。【解決手段】合成繊維と弾性糸とを含む編物からなる水着であって、少なくとも下腿部の一部分の３０％定伸長時伸長力が経緯いずれかの方向で２．０〜４．５Ｎの編物で構成されていることを特徴とする水着。【選択図】図３
2008007863.tif 000002
【特許請求の範囲】
【請求項１】
合成繊維と弾性糸とを含む編物からなる水着であって、少なくとも下腿部の一部分は３０％伸長時伸長力が経緯いずれかの方向で２．０〜４．５Ｎの編物で構成されていることを特徴とする水着。
【請求項２】
少なくとも下腿部の一部分が、２．０〜５．０ＫＰａの着圧能の編物で構成されていることを特徴とする請求項１に記載の水着。
【請求項３】
下腿部の編物の着圧能が上腿部の編物の着圧能よりも０．５〜４．０ＫＰａ以上強力であることを特徴とする請求項１または２に記載の水着。
【請求項４】
水中フィットネス運動用の請求項１〜３のいずれかに記載の水着。
【発明の詳細な説明】
【技術分野】
【０００１】
本発明は水着に関するものであり、特に水中でのフィットネス運動に適した水着に関するものである。
【背景技術】
【０００２】
従来より、健康増進や運動能力を向上させるため、あるいは血栓が血管内に詰まることによる各種疾病、いわゆるエコノミー症候群を改善するために静脈環流を促進させるウエアリングとして特殊な締め付け力を有するパンティストッキングや弾力性靴下等が提案されている（特許文献１、特許文献２）。これらの提案は下肢部を何らかの方法で締め付けることで静脈環流を促進させる効果を狙ったものであり、一定の効果を有している。
【０００３】
一方、最近ではプール等の水中で行う水泳以外の運動、例えば水中エアロビクスや水中ウォーキング等は運動効果を有しながら体への負担が小さい運動として注目を集めているが、ウエアリングにまでは着目しておらず、そのため、ほとんどは一般的な遊泳水着や競泳水着を着用してこれらの運動をしているのが現状である。しかし、遊泳水着や競泳水着は、基本的に水泳用に開発されたものであるから、水中エアロビクスや水中ウォーキングの効果を高めるといった配慮はなされていないものであった。
【特許文献１】特開２００２−６９７０２号公報
【特許文献２】特開平８−１９９４０４号公報
【発明の開示】
【発明が解決しようとする課題】
【０００４】
本発明の課題は水中ウォーキング等の水中フィットネス運動をする際に体への負担をさらに小さくしつつ運動効果を高めるための水着を提供することにある。
【課題を解決するための手段】
【０００５】
本発明は、上記課題を解決するために、次のような手段を採用するものである。すなわち、
（１）合成繊維と弾性糸とを含む編物からなる水着であって、少なくとも下腿部の一部分の３０％定伸長時伸長力が経緯いずれかの方向で２．０〜４．５Ｎの編物で構成されていることを特徴とする水着。
【０００６】
（２）少なくとも下腿部の一部分が、２．０〜５．０ＫＰａの着圧能の編物で構成されていることを特徴とする（１）に記載の水着。
【０００７】
（３）下腿部の編物の着圧能が上腿部の編物の着圧能よりも０．５〜４．０ＫＰａ以上強力であることを特徴とする（１）または（２）に記載の水着。
【０００８】
（４）水中フィットネス運動用の前記（１）〜（３）のいずれかに記載の水着。
である。
【発明の効果】
【０００９】
本発明によれば、水中運動を行う場合の物理的影響である「水圧」に水着の「着圧」を加えることにより、静脈の血流を促し血液循環機能を高める効果を得ることが出来る水着を提供できるものであり、言い換えれば運動強度を上げても心拍数の上昇が少なく、心臓への負担軽減効果がありながら酸素摂取量を増加させ、「楽に効率のよい運動が出来る」水着を提供できるものである。
【発明を実施するための最良の形態】
【００１０】
水中運動は各種運動効果がありながら体への負担が小さいと言われているが、これは、水中では水の持つ物理的特性（水圧、浮力、水温、粘性抵抗等）の影響を受けるので、水に入るだけで皮膚血管が収縮したり、胸くう内血流が増加したりするためである。さらに特徴的な点として水中運動時は、陸上での運動と比較し、心拍数の増加が緩やかになることが上げられる。これは、水圧の影響を受けて静脈環流が促進するために心臓に血液が戻りやすくなるため、心拍数増加が緩やかになると考えられている。また、静脈環流の影響によって戻る血液量が増えるので結果的に心拍出量が増加し、水中運動では、運動強度が増加しても心拍数は、あまり変化しない。しかしながら、酸素摂取量は、増加するため、運動効果は高いと考えられている。
【００１１】
一方、陸上では、心拍数変化がパラレルに酸素摂取量変化と結びつき、運動強度が高くなると、心拍数も上昇するので、体にかかる負荷が大きくなる。
【００１２】
本発明者らは、従来の知見に鑑み、水中運動を行う場合の物理的影響である「水圧」にさらに水着によって「着圧」を加えることにより、筋肉のブレを制御し、運動時の疲労軽減効果を促し、下肢部を適度な圧力で圧迫させることができ、静脈の血流を促し血液循環機能を高める効果があることを見出し、種々検討の結果、本発明に達したものである。
【００１３】
以下、本発明の水着について詳述する。
【００１４】
本発明の水着は合成繊維と弾性糸とを含む編物からできた、少なくとも下腿部の一部分はヨコ周りで、３０％伸長時伸長力が経緯いずれかの方向で２．０〜４．５Ｎの編物で構成された水着である。
【００１５】
本発明の水着に合成繊維と弾性糸からなる編物を使用する理由は、まず合成繊維に関して述べれば、生地の耐久性、特に水着といった用途上、水中で繰り返し使用されることが前提であるため繊維自体が水分の影響を受けにくいものであることが望ましいからである。そのため、合成繊維としては、疎水性の合成繊維、水分の影響を受けにくい合成繊維が好ましく、例えば素材としてポリエチレンテレフタレート、ポリトリメチレンテレフタレートおよびポリブチレンテレフタレートなどの芳香族ポリエステル系繊維、芳香族ポリエステルに第三成分を共重合した芳香族ポリエステル系繊維、Ｌ-乳酸を主成分とするもので代表される脂肪族ポリエステル系繊維、ナイロン６やナイロン６６などのポリアミド系繊維、ポリエチレンなどのポリオレフィン系繊維、ポリプロピレン系繊維、ポリ塩化ビニル系繊維などの合成繊維などが挙げられる。本発明では、これらの合成繊維を単独または２種以上の混合物として使用することができるが、ポリエステル系繊維またはポリアミド系繊維を主成分にした繊維が好ましい。なお、本発明に用いられる合成繊維は、通常のフラットヤーン以外に、仮撚り加工糸、強撚糸、タスラン加工糸、太細糸および混繊糸等のフィラメントヤーンであっても、あるいは紡績糸などであってもよい。
【００１６】
また、弾性糸としては通常の仮撚加工糸等も採用されるが、好ましくはポリウレタン系弾性糸やポリエステル系弾性糸、ポリエーテルエステル系弾性糸あるいはポリトリメチレンテレフタレート複数成分同士のバイメタル構造に代表されるコンジュゲート糸、ポリトリメチレンテレフタレートとポリエチレンテレフタレートとのコンジュゲート糸等が採用できる。なかでも、ポリウレタン系弾性糸が特に好ましい。
【００１７】
なお、弾性糸を使用する理由について述べれば、本発明は「水圧」に加え、水着の「着圧」を与えることにより、筋肉のブレを制御し、運動時の疲労軽減効果を促すからである。特に下肢部を適度な圧力で圧迫することにより、静脈の血流を促し血液循環機能を高める効果を得ることが出来る水着を提供することを目的とするが、そのためには、生地自体がストレッチ性とストレッチバックであり、着圧を有していることが重要になるからである。編物自身、織物に比べるとその布帛構造からストレッチが出やすいものではあるものの、本発明の水着としては単に編物というだけではストレッチ性能が不十分であるため、編物を構成する糸自体に弾性効果を加えておくことが必要なのである。
以上より、本発明に用いる編物は少なくとも前記合成繊維と前記弾性糸とを含む編物であり、編成方法としては公知の編成方法を採用することができる。すなわち、本発明に用いる編物の種類としては、丸編みでは平編、両面編、リブ編、パール編やこれらの変化編地、経編ではトリコット編地、ラッセル編地等の種類が使用できる。また、経編組織としてはトリコット編地の場合 ハーフ編、逆ハーフ編、ダブルデンビー編、ダブルアトラス編、ラッセル編地ではパワーネット、ハーフパワーネット、サテンネット、トリコネットなどを例示することができる。
【００１８】
本発明は前記編物を用いた、少なくとも下腿部の一部を覆う水着である。その一態様として、足首部まである、図２に示すようなロング型の水着がある。ここで「ロング型」との表現は、水着の下肢部の丈の長さによる分類であり、通常は足首部までの丈があるものを言う。ロング型水着は、図１に示すような鼠径部までの丈のノーマル型水着とは区別される。また、本発明の他の態様として、丈が鼠径部までの本体部分と下腿部分とに分離したセパレート型の水着や、丈が大腿部までの本体部分と下腿部分とに分離したセパレート型の水着でもよい。後述する理由により、本発明では少なくとも下腿部の一部をカバーするタイプであることが必要なのであるが、逆に言えば下腿部のヨコ周りで、少なくとも一部を３０％伸長時伸長力が経緯いずれかの方向で２．０〜４．５Ｎの編物でカバーされてさえいればよいのである。
【００１９】
そして本発明においては、少なくとも下腿部の一部がヨコ周りで、３０％伸長時伸長力が経緯いずれかの方向で２．０〜４．５Ｎの編物からなることが必要である。定伸長時伸長力とは、編物を一定の割合伸ばした時の回復の程度を表すものであり、最適な伸長力の編物で筋肉を覆うことにより筋肉のブレを制御し、運動時の疲労軽減効果を促すことができる。本発明においては、３０％伸長した時の伸長力が、経緯いずれかの方向で２．０〜４．５Ｎの編物を用いるものであり、この３０％伸長時伸長力の測定方法は後の実施例の欄に記載した測定方法によって測定した値をいう。
【００２０】
なお、この伸長力を得るためには、編物の編組織や使用する弾性糸の種類・量などによって適宜調整すればよく、例えば、編物を構成するポリウレタン系弾性糸の複合比率を１５％〜５０％、さらに好ましくは２０％〜４０％にすればよい。
【００２１】
ここで３０％伸長時の伸長力を規定している理由は、この編物の場合、着用時に３０％〜５０％伸ばされた状態が、動き易く、着心地が良く、水中フィットネス運動用の水着として一番適している伸長力であるからである。３０％未満の場合は、身体にフィットした状態で着用される水着としては、フィット感に欠ける。そして、この３０％伸長時の伸長力は２．０Ｎ未満では、身体への締め付けが不十分であり、筋肉のブレを制御する効果が少なくなる。一方、４．５Ｎ以上では身体への締め付けが強すぎ、動き難く、かつ、着脱が容易ではなくなるため、本発明では採用されない。
【００２２】
さらに、３０％伸長時伸長力が経緯いずれかの方向で２．０〜４．５Ｎの編物とするることで、後述するように着圧能を２．０〜５．０ＫＰａとすることができる。すなわち、前記編物を用いて、例えば、着用した際に３０％〜５０％程度伸長するように縫製すれば２．０〜５．０ＫＰａの着圧を得ることができる。なお、水着に縫製する方法としては通常の縫製方法を用いればよい。また、用途により異なるが、縫製時の編物はタテ取り、ヨコ取りのいずれの方向でもよい。
【００２３】
本発明の水着においては、少なくとも下腿部の一部分がヨコ周りで、３０％伸長時伸長力が経緯いずれかの方向で２．０〜４．５Ｎの編物が用いられていればよいが、具体的には下腿部の２／３以上に該編物が用いられていることが好ましく、さらには下腿部全体、すなわち膝下から足首部まで該編物が用いられていることがより好ましい。
【００２４】
なお、本発明の水着は、特に水中フィットネス運動用に適した水着であるが、本発明において水中フィットネス運動とは、「水圧」、「浮力」、「水温」、「抵抗」の水の特性を利用した、健康作りを主な目的とする、水面上に顔を出して基本的に立位で行う水中運動のことをいう。例えば、水中エアロビクスや水中ウォーキング等があり、競泳や一般的な遊泳等の水泳とは異なるものである。
【００２５】
水圧は、血液やリンパなどの鬱血状態に対して効果的であり、下肢部は身体の他の部位よりも低い位置にあるため、水中では水圧により下肢に溜まった血液の還流が促進される。すなわち、水圧（ＫＰａ）は水深（ｃｍ）に比例し、おおよそ、水圧（ＫＰａ）＝０．１×水深（ｃｍ）、で表され、水中に立った状態だとより深い位置ほどより大きな水圧を受ける。つまり、水面上に顔を出して立った状態であれば心臓に近くなるほど弱くなる圧力バランスとなり（もちろん、心臓が水面以上であれば心臓には水圧はかからない）、これにより静脈環流効果が生み出される。ところが、より大きな静脈環流効果を得ようと水圧を高くする、すなわち、水深を深くすると水中に潜ることになりこれでは水中運動ができないし、また心臓にもより大きな水圧がかかってしまうから心臓への負担が高くなり、かえって静脈環流効果が阻害されてしまう。そこで本発明者らが検討した結果、水圧に加え、下肢部、特に下腿部にのみ、さらに適切な着圧を与えることにより、より大きな静脈環流効果を得られることを見出した。
【００２６】
水中運動、特に水中フィットネス運動は水深０．９ｍ〜１．２ｍ程度のプール等で行うことが多いが、本発明者らの知見によれば、これらの場合、下肢部、特に下腿部に、さらに２．０〜５．０ＫＰａ程度の着圧を加えることにより、より大きな静脈環流効果を得ることができる。
【００２７】
すなわち、水中フィットネス運動用水着としては、少なくとも下腿部の一部分に２．０〜５．０ＫＰａの着圧が得られるものであることが望ましく、そのためには少なくとも下腿部の一部分に着圧能が２．０〜５．０ＫＰａの編物を用いればよい。このような水着を着用し、酸素摂取量と心拍数を測定したところ、通常の従来の水着を着用した時よりも酸素摂取量が増加し、かつ心拍数軽減効果が得られ、下腿部の着圧効果が明確であることがわかった。着圧は２ＫＰａ未満では、身体への締め付けが不十分であり、筋肉のブレが制御出来なくなる。一方、５ＫＰａ以上では身体への締め付けが強すぎ、動き難く、かつ、着脱が容易ではなくなるため、２．０〜５．０ＫＰａが好ましい。この適切な着圧は、上述の通り着圧能が２．０〜５．０ＫＰａの編物を用いればよいが、２．０〜５．０ＫＰａの着圧能は３０％伸長時伸長力が経緯いずれかの方向で２．０〜４．５Ｎの編物を用いることにより得ることができる。
【００２８】
なお、本発明において、着圧とは身体にフィットする衣服を着用したときに身体にかかる衣服による圧力をいう。また、着圧能とは、筒状編物の円周について、それを３０％伸ばした時の長さと同じ長さの外周を有するステンレス製円筒に該筒状編物を取り付け、接触圧測定器を使用して測定した着圧をいい、編物のもつ着圧を生み出す能力である。着圧能の測定方法の一例を挙げると実施例の欄に記載した方法となる。
【００２９】
血液の循環系においては、人体生理学的に重力に抗する静水圧に準じた押し上げ力が必要である。このため、本発明の水着によって静脈還流を促進するには、重力に抗して血液が還流しやすいようにある程度の着圧を有し、その着圧が心臓に近くなるほど弱くなる着圧バランスに設計することがより好ましい。
【００３０】
したがって、本発明の水着は、少なくとも下肢部に、静脈が還流しやすいように重力に抗して血液を押し上げるための着圧を有するとともに人体生理学上の静水圧バランスに従って、下腿部（図３（ａ））の着圧が上腿部（図３（ｂ））の着圧よりも０．５〜４．０ＫＰａ以上強力であることがより好ましい。このように着圧に差をつけるには、例えば下腿部よりも３０％伸長時伸長力が小さい編物を上腿部に用いる方法や、着用時、ゆとりのあるパターンを上腿部に用いる等の方法がある。
【００３１】
また、本発明の水着に用いる編物の伸長率は、経緯いずれかの方向で、６０〜１４０％にすることが好ましい。伸長率とは、編地の伸びの程度を表すものであり、この数値が大きい程、水着にして着用した時、編地が身体の動きに追従し易く、動き易く、疲れ難いが、大きすぎても不都合を生じる。経緯いずれかの方向で、６０〜１４０％にすることで、身体の動きに追従し易く、動き易く、疲れ難いながらも伸びすぎて不都合のない、バランスのよい水着とすることができる。
【実施例】
【００３２】
次に、本発明を実施例によって詳細に以下に述べるが、本発明はこれらの実施例に限定されるものではない。なお、実施例中における各種性能は、下記の方法で評価したものである。
【００３３】
（伸長率）
伸長率の試験法はＪＩＳ Ｌ １０１８「ニット生地試験方法」の定速伸長法のグラブ法に従った。即ち、１０ｃｍ×約１５ｃｍの試験片をタテ、ヨコ方向にそれぞれ３枚ずつ採取した。定速伸長形引張試験機を用い、上下つかみとも表側は２．５４ｃｍ×２．５４ｃｍ、裏側は２．５４ｃｍ×５．０８ｃｍのものを取り付け、つかみ間隔Ｄを７．６ｃｍとして試験片のたるみや、張力を除いてつかみに固定した。これを引張速度１０ｃｍ／分で１４．７Ｎ（１．５ｋｇ）荷重まで引伸ばし、その時のつかみ間隔Ｄ１を測り、伸長率Ｌ（％）を求め、タテ、ヨコ各々３枚の平均値で表した。
伸長率Ｌ（％）＝［（Ｄ１−Ｄ）／Ｄ］×１００
ここに、Ｄ：つかみ間隔（ｍｍ）、Ｄ１：１４．７Ｎ（１．５ｋｇ）荷重まで伸ばした時のつかみ間隔（ｍｍ）を表す。
【００３４】
（３０％伸長時の伸長力）
試験法はＪＩＳ Ｌ １０１８「ニット生地試験方法」の定速伸長法のグラブ法に従った。即ち、１０ｃｍ×約１５ｃｍの試験片をタテ、ヨコ方向にそれぞれ３枚ずつ採取した。定速伸長形引張試験機を用い、上下つかみとも表側は２．５４ｃｍ×２．５４ｃｍ、裏側は２．５４ｃｍ×５．０８ｃｍのものを取り付け、つかみ間隔Ｄを７．６ｃｍとして試験片のたるみや、張力を除いてつかみに固定した。これを引張速度１０ｃｍ／分で試験片３０％まで引伸ばし、その時の応力（伸長力）を求め、タテ、ヨコ各々３枚の平均値で表した。
【００３５】
（着圧能）
図４に示すような直径約９ｃｍ、高さ約１７ｃｍのステンレス製円筒（ｃ）の下から１０ｃｍ位置に着圧を測定するためのエアバック式接触圧測定器（ｄ）を取り付けた。合成繊維と弾性糸からなる編物で、３０％伸ばした時の周長さがステンレス製円筒（ｃ）の外周と同じ長さになるように設計した筒サンプルを作成した。この筒サンプルを、伸長が偏らないようにステンレス製円筒（ｃ）に取り付け、経緯方向の着圧をパソコン（ｅ）により記録測定した。着圧の測定には、エイエムアイ社のエアバック式（接触間に空気を閉じ込め、その空気の圧力を接触外部で熱影響を抑えて計測）の接触圧測定器を使用した。
【００３６】
（着用時の着圧）
図５に示すように被験者の踵部から３０ｃｍ位置の脹ら脛部（ｆ）または上腿部の中間の位置（ｇ）に、着圧を測定するためのエアバック式接触圧測定器（ｄ）を取り付け、次に、合成繊維と弾性糸からなる編物で、３０％伸びた時に被験者の脹ら脛部周りと同じ長さになるように設計したサンプル（水着）を、伸長が偏らないように着用し、脹ら脛部および上腿部の着圧をパソコン（ｅ）により記録測定した。測定には、同様にエイエムアイ社のエアバック式の接触圧測定器を使用した。
【００３７】
実施例１
フロント筬とバック筬の２枚筬からなる３２ゲージのトリコット機を用い、フロント筬にポリエステル３３デシテックス２４フィラメント三角断面のフラットヤーン原糸を、またバック筬にポリウレタン系弾性糸である“ライクラ”（登録商標）５５デシテックスを配して、ハーフ編組織で編成した。各糸条の混率はポリエステルを７０％、“ライクラ”（登録商標）を３０％とした。その後、通常のポリエステルとポリウレタン系弾性糸交編編地の染色加工条件に準じて、精練、中間セット、染色を行った後、最終仕上げセットを行い、目付は約２２７ｇ／ｍ2の編物を得た。この編物の伸長率経方向９４％、緯方向９８％であった。かつ３０％伸長時の伸長力が経方向に３．５Ｎであり、緯方向に２．４Ｎであった。
【００３８】
この編物の緯方向が円周方向となるように作製したサンプルで上記方法により着圧能を測定したところ、２．５ＫＰａであった。
【００３９】
そこで、この編物を用いてロング型水着を作製した。このロング型水着は下腿部はヨコ周りに３０％伸長したときに被験者の下腿部にフィットするように、上腿部はヨコ周りに３０％伸長したときに被験者の上腿部にフィットするように上記編物を用いて作製した。被験者にこの水着を着用してもらい、上記方法により着用時の着圧を測定した結果、下腿部の腓腹筋部位（踵部から３０ｃｍ位置の脹ら脛部）で３．７ＫＰａであり、上腿部の中間広筋部位で２．５ＫＰａであった。この着圧範囲が、筋肉のブレが制御出来、酸素摂取量が増加し、かつ心拍数軽減効果が得られる下腿部での最適な着圧であった。
【００４０】
（酸素摂取量の測定）
水着の種類として、図１に示すようなノーマル型と、上で作成した編地を下腿部（図４（ａ））に用いた、図２に示すようなロング型の水着を作成した。一般成人男性８名（２１〜４４歳）に、この２種類の水着を着用してもらい、水深１２０ｃｍのプールで酸素摂取量（ＶＯ２）を測定した。測定方法は、歩行速度を、男性での最適な水中歩行速度とされる、２７．３ｍ／ｍｉｎ．（１１０ｓｅｃ／５０ｍ）、３３．３ｍ／ｍｉｎ．（９０ｓｅｃ／５０ｍ）とし、呼気ガス採取には、ダグラスバック法を採用した。ダグラスバック法とは、ダグラスバックという、大きな袋に呼気ガスを入れ採取することである。歩行速度のペースメーカーには、Swimming pace maker system（DOＬＰＨＩＮ）を使用した。
【００４１】
結果は、歩行速度２７．３ｍ／ｍｉｎ．（１１０ｓｅｃ／５０ｍ）の時、ロング型水着が０．８２Ｌ／ｍｉｎ．であり、ノーマル型水着が０．７９Ｌ／ｍｉｎ．であった。また、歩行速度３３．３ｍ／ｍｉｎ．（９０ｓｅｃ／５０ｍ）の時、ロング型水着が１．１９ Ｌ／ｍｉｎ．であり、ノーマル型水着の１．１２Ｌ／ｍｉｎ．であった。いずれの歩行速度でも、ロング型水着の方が、高い値が出た。
【００４２】
すなわち、本発明の水着によれば、同じ水中運動であっても高い酸素摂取量が得られることがわる。
【００４３】
（心拍数（HR）の測定）
更に、酸素摂取量の測定に使用した図１のノーマル型と図２のロング型の水着を、実施例１と同様に一般成人男性８名（２１〜４４歳）に２種類の水着を着用してもらい、水深１２０ｃｍの設定で心拍数（HR）を測定した。測定方法は、歩行速度は、実施例３と同じ速度にし、心拍数測定は、ポラールという測定器を胸部に装着し測定した。歩行速度のペースメーカーには、Swimming pace maker system（DOＬＰＨＩＮ）を使用した。
【００４４】
結果は、歩行速度２７．３ｍ／ｍｉｎ．（１１０ｓｅｃ／５０ｍ）の時、ロング型水着が６２拍／ｍｉｎ．であり、ノーマル型水着が６６拍／ｍｉｎ．であった。また、歩行速度３３．３ｍ／ｍｉｎ．（９０ｓｅｃ／５０ｍ）の時、ロング型水着が７０拍／ｍｉｎ．であり、ノーマル型水着の７４拍／ｍｉｎ．であった。いずれの歩行速度でも、ロング型水着の方が、低い値が出た。
【００４５】
すなわち、本発明の水着によれば、同じ水中運動であっても心拍数の上昇が抑えられることがわる。
【００４６】
比較例１
２８ゲージのシングル丸編機を用い、リバーシブル天竺編組織において、表側にポリエステル８４デシテックス４８フィラメント丸形タイプ断面のフラットヤーン原糸を、裏側にポリウレタン系弾性糸である“ライクラ”（登録商標）４４デシテックスを配して編成した（通称ベア天竺組織）。各糸条の混率はポリエステルを約９０％、“ライクラ”（登録商標）を約１０％とした。その後、通常のポリエステルとポリウレタン系弾性糸交編編地の染色加工条件に準じて、精練、中間セット、染色を行った後、最終仕上げセットを行い、目付は約２２７ｇ／ｍ2の編地を得た。この編地の伸長率は経方向８２％、緯方向１３５％であった。かつ伸長率３０％時の伸長力が経方向が１．３Ｎであり、緯方向が１．０Ｎであった。実施例１と同様に、この編物の着圧能を測定したところ、着圧能は１．３ＫＰａであった。また、この編物を用いて実施例１と同様のロング型水着を縫製し、着用時の着圧を測定した結果、下腿部の腓腹筋部位で１．６ＫＰａであり、上腿部の中間広筋部位で１．３ＫＰａ位であった。
【００４７】
この編地を用い、実施例１と同様に水着の種類として、図１に示すようなノーマル型と図２に示すようなロング型の水着を作成した。一般成人男性８名（２１〜４４歳）に、この２種類の水着を着用してもらい実験を行ったが、ロング型水着の下腿部に使用した編物は伸長力が２．０Ｎ未満のため、身体への締め付けが不十分であり、筋肉のブレが制御出来ず、満足できるものではなかった。
【図面の簡単な説明】
【００４８】
【図１】ノーマル水着の一例を示す図。
【図２】ロング水着の一例を示す図。
【図３】下腿部、上腿部を示す図。
【図４】本発明における着圧の測定方法の概略図。
【図５】水着着用時の着圧測定方法の概略図。
【符号の説明】
【００４９】
ａ：下腿部
ｂ：上腿部
ｃ：ステンレス製円筒
ｄ：エアバック式接触圧測定器  
ｅ：パソコン（記録部）
ｆ：人体での着圧測定部位（下腿部の腓腹筋部位＝踵部から３０ｃｍ位置）  
ｇ：人体での着圧測定部位（上腿部の中間広筋部位）  
【図１】
2008007863.tif 000003
【図２】
2008007863.tif 000004
【図３】
2008007863.tif 000005
【図４】
2008007863.tif 000006
【図５】
2008007863.tif 000007